(57)【要約】【課題】集塵容器内のごみを手を汚すことなく廃棄できる、使用勝手の良い電気掃除機を提供する。【解決手段】塵埃を捕集する一次フィルターＡ（フィルター）４２を有する粗塵室３１と、前記粗塵室３１に設けられた塵埃排出用の開口部３９と、前記開口部３９を開閉自在に覆う蓋体３３と、前記蓋体３３を閉状態に保持する尾錠３５と、前記尾錠３５を介して前記蓋体３３を開状態にする操作部３６と、前記粗塵室３１内に設けられた押し出し板４４とを備え、前記押し出し板４４は、前記粗塵室３１内で塵埃の略堆積方向に、スライダーバネ（弾性体）４７により附勢されると共に、移動可能に構成される集塵容器とした。これにより、操作部３６を押すと、尾錠３５が蓋体３３の係止を解除し、蓋体３３が開成し、押し出し板４４が下方向に移動して粗塵室３１内の塵埃を押し出すことが可能になる。【選択図】図３
2006320455.tif 000002
【特許請求の範囲】
【請求項１】
塵埃を捕集するフィルターを有する粗塵室と、前記粗塵室に設けられた塵埃排出用の開口部と、前記開口部を開閉自在に覆う蓋体と、前記蓋体を閉状態に保持する尾錠と、前記尾錠を介して前記蓋体を開状態にする操作部と、前記粗塵室内に設けられた押し出し板とを備え、前記押し出し板は、前記粗塵室内で塵埃の略堆積方向に、弾性体により附勢されると共に、移動可能に構成された集塵容器。
【請求項２】
スライダーを備え、押し出し板を前記スライダーの一端に連結し、前記スライダーはその一部に設けたバネにより移動可能とすると共に他端に係止部を設け蓋体で支持した請求項１記載の集塵容器。
【請求項３】
スライダーに設けた係止部を尾錠間に位置させたことを特徴とする請求項１または２記載の集塵容器。
【請求項４】
粗塵室側壁の２面以上にフィルターを用いたことを特徴とする請求項１〜３のいずれか１項に記載の集塵容器。
【請求項５】
押し出し板にフィルターを設けたことを特徴とする請求項１〜４のいずれか１項に記載の集塵容器。
【請求項６】
請求項１〜５のいずれか１項に記載の集塵容器を備えたことを特徴とする電気掃除機。
【発明の詳細な説明】
【技術分野】
【０００１】
本発明は電気掃除機本体に装着される集塵容器並びにこの集塵容器を有する電気掃除機に関するものである。
【背景技術】
【０００２】
従来のこの種の電気掃除機としては、掃除機本体に着脱自在に装着されると共に塵埃を捕集する集塵容器を備え、その集塵容器に開閉自在の蓋を設け、その蓋を開けて集塵容器内に蓄積した塵埃を廃棄するようにしたものが有る（例えば、特許文献１参照）。
【特許文献１】特開２００４−１２１７２２号公報
【発明の開示】
【発明が解決しようとする課題】
【０００３】
しかしながら、上記のような電気掃除機の構成では、集塵容器内のごみがぎっしりと入った場合や、綿ごみや軽いごみの場合など、蓋を開いてもその塵埃が、集塵容器から落ちることなく溜まる時があり、その時は、素手或いはお箸などでごみを引きずりださなければならず、不衛生で、且つ非常に手間がかかるという課題があった。
【０００４】
本発明は上記従来の課題を解決するものであって、集塵容器内のごみを手を汚すことなく廃棄できる、使用勝手の良い電気掃除機を提供する事を目的とする。
【課題を解決するための手段】
【０００５】
上記従来の課題を解決するために、本発明の集塵容器は、塵埃を捕集するフィルターを有する粗塵室と、前記粗塵室に設けられた塵埃排出用の開口部と、前記開口部を開閉自在に覆う蓋体と、前記蓋体を閉状態に保持する尾錠と、前記尾錠を介して前記蓋体を開状態にする操作部と、前記粗塵室内に設けられた押し出し板とを備え、前記押し出し板は、前記粗塵室内で塵埃の略堆積方向に、弾性体により附勢されると共に、移動可能に構成されたもので、粗塵室に堆積した塵埃を、手を汚すことなく押し出し板で確実に押し出す事が出来る。
【発明の効果】
【０００６】
本発明の集塵容器は、粗塵室に堆積した塵埃を手を汚すことなく確実に廃棄することができる。
【発明を実施するための最良の形態】
【０００７】
第１の発明は、塵埃を捕集するフィルターを有する粗塵室と、前記粗塵室に設けられた塵埃排出用の開口部と、前記開口部を開閉自在に覆う蓋体と、前記蓋体を閉状態に保持する尾錠と、前記尾錠を介して前記蓋体を開状態にする操作部と、前記粗塵室内に設けられた押し出し板とを備え、前記押し出し板は、前記粗塵室内で塵埃の略堆積方向に弾性体により附勢されると共に、移動可能に構成される集塵容器としたもので、粗塵室に堆積した塵埃を、手を汚すことなく押し出し板で確実に押し出す事が出来る。
【０００８】
第２の発明は、スライダーを備え、押し出し板を前記スライダーの一端に連結し、前記スライダーは、スライダーの一部に設けたバネにより移動可能とすると共に他端に係止部を設け蓋体で支持したもので、蓋体を開状態とすることにより塵埃を排出できるものである。
【０００９】
第３の発明は、スライダーに設けた係止部を尾錠間に位置させたもので、蓋体のタイト部よりのごみ洩れを防止するものである。
【００１０】
第４の発明は、粗塵室側壁の２面以上にフィルターを用いたものでフィルターの目詰りによる風量低下を抑制するものである。
【００１１】
第５の発明は、押し出し板にフィルターを設けたもので、フィルターの目詰りによる風量低下を抑制するとともに塵埃を粗塵室上部に堆積するものである。
【００１２】
第６の発明は、請求項１〜５のいずれか１項に記載の集塵容器を備えた電気掃除機としたもので、集塵容器に設けた押し出し板により、粗塵室に堆積した塵埃を手を汚すことなく確実に廃棄することができる。
【００１３】
以下、本発明の実施の形態について、図面を参照しながら説明する。なお、この実施の形態によって本発明が限定されるものではない。
【００１４】
（実施の形態１）
本発明の第１の実施の形態における集塵容器及びそれを搭載した電気掃除機について、図１〜図５を用いて説明する。
【００１５】
図１〜２は、本実施の形態における集塵容器を搭載した電気掃除機を示すものである。図において、掃除機本体１は、後部に電動送風機２を内蔵した電動送風機室３が配され、前部に、着脱自在で塵埃を分離捕集する集塵容器４を収納する集塵容器収納部５が配され、後方下部の両側に１対の走行用の車輪６が回転自在に取付けられ、底面前部には、同じく走行用のキャスター７が取付けられている。掃除機本体１の前部には、ホース８の一端に設けた接続パイプ９が着脱自在に接続される吸気口１０が設けられている。
【００１６】
ホース８の他端には、掃除の際に握る把手１１を備えた先端パイプ１２が設けられている。１３は伸縮自在或いは継ぎ自在の延長管で、下流側端部が前記先端パイプ１２に着脱自在に接続され、他端は、塵埃掻き揚げ用の回転ブラシ１４とその回転ブラシ１４を回転駆動するモーター１５を内臓した吸込み具１６に着脱自在に接続される。
【００１７】
１７は、弾性材料から成形され掃除機本体１の前部から両側にかけて延設されたバンパーで、掃除機本体１の走行時に家具，柱などに衝突してもそれらに傷を付けないようにするための物である。
【００１８】
１８は、掃除機本体１を持ち運ぶ際に立てて使用する本体ハンドルで、掃除機本体１の重心を通る垂直線上に回動中心が位置するように掃除機本体１の上部に回動自在に取付けられている。
【００１９】
図２において、１９は、集塵容器４の持ち運び用のダストボックスハンドルで、集塵容器４を持ち運ぶ時や、掃除機本体１の集塵容器収納部５から取り外す時に、ダストボックスハンドル１９が握れるようになる。掃除機本体１の外郭は、後方に電動送風機２を収納する電動送風機室３を形成した下ボデー１ａと上ボデー１ｂから構成されている。
【００２０】
電動送風機２の前部は、弾性体よりなるサポート前２０で、後部は、同じく弾性材料からなるサポートウシロ２１で、電動送風機室３内に支持されている。２２は、電動送風機室３と集塵容器収納部５とを仕切る隔壁で、略中央に電動送風機２の吸入開口２ａと連通する格子状の隔壁開口部２３が設けられ、その隔壁開口部２３は、集塵容器収納部５側から三次フィルター２４で覆われている。
【００２１】
ダストボックス収納部５の後方下部には、図示しない機構により、電源コード２５の引き出し操作に連動して回転して後述の除塵板５０を弾く弾きローラー２６が設けられている。
【００２２】
次に集塵容器４の構成について図３〜５を用いて説明する。図３は、同集塵容器の断面図、図４は、同集塵容器の正面図、図５は、同集塵容器の断面図（蓋が開いた状態）である。
【００２３】
図において、集塵容器４は、ダストボックス本体２７と、ダストボックス本体２７の後方開口部に着脱自在に装着されるフィルターユニット２８から構成されている。
【００２４】
最初に、吸込み具１６から空気と共に吸引された塵埃の捕集構成について述べる。ダストボックス本体２７の前部に集塵容器を掃除機本体１の集塵容器収納部５に装着した時に、掃除機本体１の吸入口１０の後方に設けたパッキン２９に気密に圧接し連通する吸入口Ａ３０が設けられている。ダストボックス本体２７は、さらに、吸入口Ａ３０に直接連通すると共に粗塵を収納する粗塵室３１と粗塵室３１を通過した吸引風に含まれた細塵を捕集するフィルターユニット２８から離脱した細塵を収納する細塵室３２と、前記粗塵室３１、細塵室３２の下部開口３９を覆うと共に後方端部がダストボックス本体２７の回動自在に軸支された蓋体３３を備えている。蓋体３３は、コイルバネ３４により開成方向に付勢されており、通常はダストボックス本体２７に設けた尾錠３５で、その前部が閉じた状態に保持されており、ダストボックスハンドル１９の前部に設けた操作部３６を押すと、それに連結された連結棒３７を介して尾錠３５を外方に移動し、蓋体３３がコイルバネ３４の付勢力で開くようになっている。
【００２５】
ダストボックス本体２７の前側には、集塵容器４や、その構成部品に付着した塵埃を清掃する為のクリーニングブラシ３８を収納するブラシ収納部３８ａが設けられている。
【００２６】
粗塵室３１は、全周（４側壁）に下部開口３９に広がる傾斜面４０を有し、開口部４１を備え、前記開口部４１に夫々一次フィルターＡ４２を有している。叉、粗塵室３１上部に一次フィルターＢ４３を有した押し出し板４４を備え、前記押し出し板４４に連結され係止部４５を有するスライダー４６が配されている。４７は、前記押し出し板４４を下方に移動させ、塵埃を押し出すスライダーバネ（弾性体）である。前記係止部４５は、尾錠３５の巾内にて蓋体３３に接し保持されている。
【００２７】
フィルターユニット２８は、枠体４８と、プリーツ折りされ、そのプリーツ目を縦方向にして枠体４８に設けられた二次フィルター４９と、鋼板など弾性に富んだ金属材からなり、下部がそれ自身の弾性力で枠体４８側に押しつけられるように上部が枠体４８の上部に取り付けられた除塵板５０とを備えている。フィルターユニット２８の枠体４８の下流側端部には全周に渡ってリップ５１が、一体叉は一体的に形成され集塵容器４を集塵容器収納部５に装着した時に、そのリップ５１が掃除機本体１の隔壁２２の集塵容器収納部５側の面に圧接され、電動送風機2の運転時に外気が吸引されないようになっている。
【００２８】
フィルターユニット２８の前面５２は，フィルターユニット２８をダストボックス本体２７に装着した時に、粗塵室３１の後方開口部３１ａを気密に覆うようになっている。
【００２９】
除塵板５０の下端には、突片５０ａが延設され、集塵容器４を集塵容器収納部５に装着した時に、掃除機本体１に設けた弾きローラー２６に近接するように配されており、この状態で電源コード２５を引き出すと、その引出し動作に連動して弾きローラー２６が回転し、山状に形成された弾き片２６ａが、除塵板５０の弾性力に抗して除塵板５０の突片５０ａを後方に移動させ、その突片５０ａが弾き片２６ａを乗り越えると、除塵板５０の弾性力で元の左方向に一気に戻ろうとする。この時、除塵板５０の一部が枠体４８の先端に当たって枠体４８に強い衝撃が加わり、これにより二次フィルター４９に強い振動が加わり、二次フィルター４９に付着していた細塵が振り落とされ、二次フィルター４９の濾過性能が復活する。
【００３０】
上記構成による動作、作用は以下の通りである。
【００３１】
電気掃除機の使用開始に当たり、掃除機本体１より電源コード２５を引き出すと、その引出し動作に連動して、弾きローラー２６が回転すると、その弾き片２６ａが除塵板５０に設けた突片５０ａを弾き、フィルターユニト２８の枠体４８に強い衝撃が加わり、前回までの掃除の際に二次フィルター４９に付着した細塵がふるい落とされ、二次フィルター４９の濾過性能が回復する。
【００３２】
次に電源コード２５を図示しない壁のコンセントに差し込んで、電気掃除機の運転を開始すると、電動送風機２による吸引力が、三次フィルター２４、二次フィルター４９、一次フィルターＡ４２および一次フィルターＢ４３を経て、粗塵室３１、ホース８、延長管１３を経て吸込み具１６に至る。そして、吸込み具１６から吸引された塵埃を含んだ空気が、掃除機本体１の吸入口１０を通ってダストボックス本体２７の吸入口３０から真っ直ぐ粗塵室３１に入り、一次フィルターＡ４２及び一次フィルターＢ４３に当たりそこで捕集され、堆積していく。一次フィルターＡ４２および一次フィルターＢ４３を通過した空気に含まれる微細塵は、二次フィルター４９で捕捉される。
【００３３】
次にダストボックスユニット４の構成及び蓋体３３の開成操作について説明する。
【００３４】
集塵容器４を集塵容器収納部５から取り外す時は、ダストボックスハンドル１９を握って集塵容器４を上方に持上げるだけで良い。
【００３５】
操作部３６は、一端を回動自在に保持され、他端に連結棒３７を連結し、バネ材５３により上方に付勢されている。操作部３６を押すと、連結棒３７が下に下がり、連結棒３７の下端に設けたクサビ状の傾斜面３７ａにより、回動片３５ａが時計方向に回動し、尾錠３５が、蓋体３３の係止を解除し、蓋体３３が、コイルバネ３４の付勢力で開成する。スライダー４６の係止部４５が開放されると、スライダーバネ４７により押し出し板４４が下方向に移動し粗塵室３１内の塵埃が押し出される。
【００３６】
上記構成により集塵容器４をごみ箱などの上に持ってきて、ダストボックスハンドル１９の先端に設けられた操作部３６を押すと、蓋体３３が開き、同時に粗塵室３１、細塵室３２内の塵埃がごみ箱内に落下する。
【００３７】
（実施の形態２）
本発明の第２の実施の形態における集塵容器を、図６〜８を用いて説明する。なお上記第１の実施の形態と同一構成部品については、同一名称、同一符号を付して、その説明を省略する。
【００３８】
図６は、同集塵容器の断面図、図７は、同集塵容器の正面図、図８は、同集塵容器の断面図（蓋が開いた状態）である。
【００３９】
図において、集塵容器４の粗塵を収容する粗塵室３１は、塵埃堆積方向下部に粗塵室Ａ５４と上部に前記粗塵室Ａ５４より、ひとまわり狭い粗塵室Ｂ５５が段付き状態で構成されている。叉、前記粗塵室Ａ５４内に塵埃の堆積方向と略平行な塵埃掻き出し板５６が蓋体３３に一体的に設けられている。
【００４０】
上記構成による動作，作用は以下の通りである。
【００４１】
操作部３６を押すと、連結棒３７が下に下がり、連結棒３７の下端に設けたクサビ状の傾斜面３７ａにより、回動片３５ａが時計方向に回動し、尾錠３５が、蓋体３３の係止を解除し、蓋体３３が、コイルバネ３４の付勢力で開成する時、粗塵室Ａ５４内の塵埃は、掻き出し板５６により掻き出され、スライダーバネ４７により押し出し板４４が下方向に移動し粗塵室Ｂ５５内の塵埃が押し出される。
【産業上の利用可能性】
【００４２】
以上のように、本発明にかかる集塵容器は、集塵容器に形成された粗塵室に堆積した塵埃を手を汚すことなく確実に排出する事が出来るものであり、着脱自在の集塵容器を有する家庭用、業務用電気掃除機として有用である。
【図面の簡単な説明】
【００４３】
【図１】本発明の実施の形態１における電気掃除機の全体斜視図
【図２】同電気掃除機の側断面図
【図３】同電気掃除機の集塵容器の側断面図
【図４】同電気掃除機の集塵容器の正面図
【図５】同電気掃除機の集塵容器の蓋が開いた状態の側断面図
【図６】本発明の実施の形態２における電気掃除機の集塵容器の側断面図
【図７】同電気掃除機の集塵容器の正面図
【図８】同電気掃除機の集塵容器の蓋が開いた状態の側断面図
【符号の説明】
【００４４】
４    集塵容器
３１  粗塵室
３２  細塵室
３３  蓋体
３５  尾錠
３６  操作部
３９  開口部
４０  傾斜面
４２  一次フィルターＡ
４３  一次フィルターＢ
４４  押し出し板
４５  係止部
４７  スライダーバネ（弾性体）
５４  粗塵室Ａ
５５  粗塵室Ｂ
５６  掻き出し板
【図１】
2006320455.tif 000003
【図２】
2006320455.tif 000004
【図３】
2006320455.tif 000005
【図４】
2006320455.tif 000006
【図５】
2006320455.tif 000007
【図６】
2006320455.tif 000008
【図７】
2006320455.tif 000009
【図８】
2006320455.tif 000010